(57)【要約】  本発明は、Ｈ−ＡＲＱ方式を開示する。ワイヤレスチャネルが良好な状態にある場合、ユーザ装置は、不正確なデータパケットを受信したときのみＮＡＣＫ信号と他の制御信号とを送信し、そうでなければ、ユーザ装置は、ＡＣＫ信号を送信しないであろう。ワイヤレスチャネルが悪い状態にある場合、現行のＨ−ＡＲＱ方式が採用されるであろう。
2008547344.tif 000002
【特許請求の範囲】
【請求項１】
通信装置において、データ送信のための自動再送要求（ＡＲＱ）を実現する方法であって、
（ａ）前記通信装置とネットワークデバイスとの間のチャネル品質値を監視するステップと、
（ｂ）比較結果を得るために、前記チャネル品質値と所定の閾値とを比較するステップと、
（ｃ）前記チャネル品質値が前記所定の閾値よりも悪くない場合、
（ｃ１）現在の送信状態が正常であるか監視するステップと、
（ｃ２）前記送信状態が異常である場合に、前記送信状態を調整するため、要求メッセージを前記ネットワークデバイスに送信するステップと、
を実行するステップと、
を有する方法。
【請求項２】
前記チャネル品質値が前記所定の閾値よりも悪い場合、前記ネットワークデバイスと通信するために、３種類のハイブリッド自動再送要求（Ｈ−ＡＲＱ）方法：ストップアンドウェイト（ＳＡＷ）、選択再送（ＳＲ）、及びＳＡＷハイブリッドの１つを採用するステップ（ｄ）を更に有する、請求項１に記載の方法。
【請求項３】
ステップ（ｂ）が、
（ｂ１）前記比較結果が変化する場合、前記ネットワークデバイスに該比較結果を送信するステップ
を更に有する、請求項１に記載の方法。
【請求項４】
前記チャネル品質値がＳＮＲを含む、請求項１乃至３の何れか一項に記載の方法。
【請求項５】
前記送信状態が、前記受信データパケットの正確性を含む、請求項１乃至３の何れか一項に記載の方法。
【請求項６】
前記要求メッセージは、前記通信手段がデータパケットを不正確に受信する場合、データパケットを再送信するように、前記ネットワークデバイスに要求するステップを有する、請求項５に記載の方法。
【請求項７】
ステップ（ｃ２）における前記要求メッセージが、高速共有情報チャネル（ＨＳ−ＳＩＣＨ）を介して、前記ネットワークデバイスに送信される、請求項１乃至３の何れか一項に記載の方法。
【請求項８】
ＡＲＱを実行する通信装置であって、
アップリンクデータをネットワークデバイスに送信する送信手段と、
前記ネットワークデバイスの間のチャネル品質値を監視する監視手段と、
比較結果を得るために、前記チャネル品質値と所定の閾値とを比較する比較手段と、
前記チャネル品質値が前記所定の閾値よりも悪くない場合に、前記送信状態が正常かどうかを監視するように、前記監視手段を制御するとともに、
前記送信状態が異常である場合に、前記ネットワーク手段に要求メッセージを送信するように、前記送信手段を制御する制御手段と、
を有する、通信装置。
【請求項９】
前記チャネル品質値が、前記所定の閾値よりも悪い場合、前記ネットワークデバイスと通信するために、３種類のハイブリッド自動再送要求（Ｈ−ＡＲＱ）方法：ストップアンドウェイト（ＳＡＷ）、選択再送（ＳＲ）、及びＳＡＷ−ＨＡＲＱの１つを採用するように、前記制御手段が前記通信装置を制御するようにも使用される、請求項８に記載の通信装置。
【請求項１０】
前記比較結果が変化する場合、前記送信手段が、該比較結果を前記ネットワーク手段に送信する、請求項８に記載の通信装置。
【請求項１１】
前記送信状態が、受信した前記データパケットの正確性を含む、請求項８乃至１０の何れか一項に記載の通信装置。
【請求項１２】
前記要求情報は、前記通信装置が前記データパケットを不正確に受信する場合、前記データパケットを再送信するように、前記ネットワークデバイスに要求することを含む、請求項１１に記載の通信装置。
【請求項１３】
ネットワークデバイスにおけるデータ送信用のＡＲＱを実現する方法であって、
（ａ）状態切り換え通知メッセージを通信装置から受信するステップと、
（ｂ）前記通信手段と前記ネットワーク手段との間の前記チャネル品質値が、所定の閾値よりも悪くなく、前記通信装置から受信された要求メッセージがあるということを、前記状態切り換え通知メッセージが表示する場合、現在の送信状態を調整するステップと、
を有する方法。
【請求項１４】
前記状態切り換え通知メッセージが、前記チャネル品質が前記所定の閾値よりも悪いことを示す場合、前記ユーザ装置と通信するために、３種類のハイブリッド自動再送要求（Ｈ−ＡＲＱ）方法：ストップアンドウェイト（ＳＡＷ）、選択再送（ＳＲ）、及びＳＡＷ−ＨＡＲＱの１つを使用するステップ（ｃ）を更に有する、請求項１３に記載の方法。
【請求項１５】
前記要求メッセージは、前記通信手段が、前記データパケットを不正確に受信する場合、前記データパケットを再送信するように、前記ネットワーク手段に要求することを含む、請求項１３又は１４に記載の方法。
【請求項１６】
ステップ（ｂ）における、現在の送信を調整する動作は、前記要求メッセージを受信する場合に、前記データパケットを再送信するステップを有する、請求項１５に記載の方法。
【請求項１７】
ＡＲＱを実行するネットワークデバイスであって、
通信装置から状態切り換え通知メッセージを受信する受信手段と、
前記通信装置に、ダウンリンクデータを送信する送信手段と、
前記通信装置と前記ネットワークデバイスとの間のチャネル品質値が所定の閾値よりも悪くないことを、前記状態切り換え通知メッセージが示すとともに、前記通信装置から受信された要求メッセージがある場合、前記送信手段の送信状態を調整する制御手段と、
を有するネットワークデバイス。
【請求項１８】
前記要求メッセージは、前記通信手段が前記データパケットを不正確に受信する場合に、前記データパケットを再送信するように、前記ネットワークデバイスに要求するステップを有する、請求項１７に記載のネットワークデバイス。
【請求項１９】
前記制御手段は、前記要求メッセージが受信される場合、前記データパケットを再送信するように前記送信手段を制御する、請求項１８に記載のネットワークデバイス。
【発明の詳細な説明】
【技術分野】
【０００１】
本発明は、ワイヤレス通信分野に関し、より詳細には、ワイヤレス通信システムにおいてハイブリッド自動再送要求（Ｈ−ＡＲＱ）を達成する技術に関する。
【背景技術】
【０００２】
ＨＳＤＰＡ（高速ダウンリンクパケットアクセス）は、データ伝送サービスにおける３Ｇシステムのダウンリンクにおいて、高速データレート伝送を実現する重要な技術である。Ｈ−ＡＲＱ（ハイブリッドＡＲＱ）は、ＨＳＰＤＡのキーテクノロジーの１つであり、ＡＲＱ（自動再送要求）とＦＥＣ（前方誤り訂正）との組合せである。
【０００３】
ＡＲＱの簡潔な説明は、以下の通りである。
【０００４】
データサービスは、有線ネットワーク通信から起こり、ＡＲＱは、最初、有線のデータ通信に使用される。データ伝送が失敗した場合、受信側がデータの再送信を要求する。これがＡＲＱと呼ばれる。図１は、アップリンク伝送におけるＡＲＱ通信プロセスを示す。
【０００５】
従来の高速自動再送要求（Ｈ−ＡＲＱ）の区分の簡潔な説明は、以下の通りである。
【０００６】
ワイヤレス環境において、チャネルの悪化のため、データをグループ化することが必要とされる。データのグループ化は、ＦＥＣにより保護されるべきであるが、ＦＥＣを使用しすぎると、伝送効率が低下し得る。したがって、Ｈ−ＡＲＱ（ＡＲＱとＦＥＣとのハイブリッド）が、この問題を解決するために提供される。
【０００７】
Ｈ−ＡＲＱは、暗示的なリンク適合化技術であり、端末受信側において受信データをどのように組み合わせるかに従って、３つのタイプに分けられ得る。
【０００８】
１）ＨＡＲＱタイプＩ：現行の３ＧＰＰ規格で使用されるＡＲＱの方法は、ＨＡＲＱタイプＩと呼ばれる。この基本的なＨＡＲＱタイプＩにおいて、ＣＲＣ（巡回冗長検査）が加えられ、データはＦＥＣ符号で符号化される。受信側において、ＦＥＣ符号が復号化され、パケットの品質がチェックされる（ＣＲＣチェック）。パケット内に誤りがある場合、パケットの再送信（ＲＬＣ−ＰＤＵ）が要求される。誤りのパケットが無視され、再送信は、最初の送信と同じ符号化を使用する。他の２つのタイプのＨＡＲＱと比較すると、このタイプが最もシンプルである。しかしながら、どの再送信データも同じ符号化モードであるため、等しく低い確率で正確に受信される。
【０００９】
２）ＨＡＲＱタイプＩＩ：タイプＩＩのＨＡＲＱは、いわゆるインクリメンタル冗長ＡＲＱ方式である。これは、悪いＲＬＣ−ＰＤＵが無視されないが、続く復号化のために送信側から供給されるいくつかのインクリメンタル冗長情報と組み合わされることを意味する。タイプＩＩのＨＡＲＱにとって、再送信は、通常、元の送信と同じではない。再送信される部分は、誤り訂正目的のため、更なる冗長的情報を伝送する。この更なる冗長性は、前に受信されたパケットと組み合わされ、結果として高い符号化ゲインを持つ符号語が復号化される。ハイブリッドＡＲＱタイプＩＩにおいて、再送信される冗長性の量は、各々の再送信で異なり、再送信は、一般に、前の送信との組合せの後にのみ復号化され得る。
【００１０】
図２は、従来技術のＨＡＲＱＩＩ情報符号の一例を示す。ここで符号語Ｃ０は、誤り検出符号（Ｋ，Ｌ）であり、符号語Ｃ１は、誤り訂正符号（２Ｌ，Ｌ）である。ノードＢは、まずＣ０を送信し、ＵＥは、パリティビットに従って符号を検出する。ＵＥは、誤りを見つけられない場合、ＡＣＫ（受信確認）を送信し、誤りがある場合に、ＮＡＣＫ（否定受信確認）を送信するであろう。ＮＡＣＫを受信する場合、ノードＢは、Ｐ（Ｉ）を再び送信するであろう。ＵＥは、Ｃ１を得るためにＣ０とＰ（Ｉ）とを組合せ、復号化及び検出を再び実行する。
【００１１】
３）Ｈ−ＡＲＱＩＩＩ：タイプＩＩのＨ−ＡＲＱのように、タイプＩＩＩのＨ−ＡＲＱも、インクリメンタル冗長性ＡＲＱ方式に属する。これは、１つのＲＬＣ−ＰＤＵに関する再送信が無視されないが、受信側において、復号化の前に、更なる情報と組み合わせるために維持されることを意味する。違いは、タイプＩＩＩのＨ−ＡＲＱにおいて各々の再送信が自己復号可能であることである。したがって、データは、データが十分に低い誤り率で送信される場合、再送信されたパケットから組み合わせられることなく回復され得る。
【００１２】
Ｈ−ＡＲＱは、独立したＡＲＱ及びＦＥＣに渡ってユーザスループットを著しく向上させることができる。Ｈ−ＡＲＱに対して、ＡＣＫ／ＮＡＣＫの送信を制御する３つのタイプの送信方式がある。ストップアンドウェイト（ＳＡＷ）、選択再送（ＳＲ）、ＳＱＷハイブリッドである。
【００１３】
ストップアンドウェイト（ＳＡＷ）
ストップアンドウェイト（ＳＡＷ）は、わずかなオーバーヘッドしか必要としない最も単純な形態のＡＲＱの１つである。図３は、従来技術においてＳＡＷ方式を使用するＨ−ＡＲＱプロセスを示す。図３に示されるように、ストップアンドウェイトにおいて送信側は、ブロックがうまく受信されるまで、現行のブロック上で動作する。プロトコルの正確さは、現在の、又は次のブロックを識別する簡素な１ビットのシーケンス番号で保証される。結果として、制御オーバーヘッドは最小である。受信確認オーバーヘッドも（ＡＣＫ，ＮＡＣＫ等を使用する）成功／不成功の復号化の表示が、単一のビットで簡潔に信号送信され得るので最小である。更に、単一のブロックのみが一度に転送されるので、ＵＥにおけるメモリ要件も最小化される。しかしながら、１つ大きな欠点が存在する。受信確認が即座ではなく、それゆえどの送信の後でも、送信側は、次のブロックの送信の前に、受信確認を受信するために待たなければならない。合間（interim）において、チャネルはアイドル状態のままであり、システムの能力は浪費される。スロット（slotted）システムでは、フィードバック遅延は、送信側が受信確認を待つ間、システム能力の少なくとも半分を浪費するであろう。
【００１４】
選択再送（ＳＲ）
ウィンドウベース（ＷＢ）の選択再送（ＳＲ）は、多くのシステムにより使用される、共通のタイプのＡＲＱプロトコルである。ＳＲは、通常、遅延に対して非常に高感度であり、誤って受信されるたブロックのみを再送する非常に好ましい特性を有する。この偉業を達成するために、ＳＲ ＡＲＱ送信側は、送信する各々のブロックを識別するように、シーケンス番号を使用しなければならない。図４は、ＳＲ方式を持つＨ−ＡＲＱ識別プロセスを示す。図４に示されるように、ＳＲ方式は、最大ブロックシーケンス番号（ＭＢＳＮ）が１つの往復フィードバック遅延において送信されるブロックの数を超えることを保証することにより、利用可能なチャネル能力を完全に利用し得る。フィードバック遅延が大きければ大きいほど、最大シーケンス番号も大きくならなければならない。
【００１５】
ＳＡＷ−ＨＡＲＱ
ストップアンドウェイトの最小複雑さと、ＳＲのスループット効率とを備えるＡＲＱ方法である、ＨＳＤＰＡに対するＮチャネルＳＡＷ−Ｈ−ＡＲＱの実現が提案されている。ＳＡＷ−Ｈ−ＡＲＱのプロセスを明確にするために、以下では、ＮチャネルＳＡＷ−Ｈ−ＡＲＱ（Ｎ＝２）の一例である、デュアルチャネルＳＡＷハイブリッドＡＲＱの実現を示すであろう。
【００１６】
ダウンリンク（ＤＬ）データタイムスロットは、ハイブリッドＡＲＱプロトコルの独立したインスタンスを識別するために、偶数及び奇数のタイムスロットに分割される。データ送信において、偶数のタイムスロットと奇数のタイムスロットとを組み合わせることにより、２つの独立したダウンリンク論理チャネルが生成されている。アップリンク（ＵＬ）フィードバックタイムスロットも、ＡＣＫ／ＮＡＣＫ（ＮＡＫ）メッセージを送信するために、偶数及び奇数のＵＬフィードバックチャネルを構成する、偶数及び奇数のタイムスロットに分割される。各々のチャネル対（偶数の上下チャネル、奇数の上下チャネル）は、データチャネルにおいてデータブロックを伝送することにより、各タイムスロットにおいて従来のストップアンドウェイトＡＲＱアルゴリズムを実行する。結果として１つのチャネルがＡＣＫ／ＮＡＣＫメッセージを待っている場合、他のチャネルは、次のダウンリンクタイムスロットにおいてデータを伝送することができ、それでチャネル伝送効率が改善される。
【００１７】
Ｈ−ＡＲＱの物理層の態様
ＨＳＤＰＡ技術は、ＤＬ伝送を改善させるため、トランスポートチャネルＨＳ−ＤＳＣＨ（高速ダウンリンク共有チャネル）を増加させ、物理チャネルＨＳ−ＳＩＣＨ（共有情報チャネル）が、ＨＳ−ＤＳＣＨに関連付けられたアップリンクフィードバックメッセージを伝送するために使用される。現行の規格は、ユーザがＨＳ−ＤＳＣＨを使用するように構成されるときはいつでも、ＵＬとＤＬとの両方において、ＤＰＣＨ（専用物理チャネル）をセットアップするように命じる。このようなユーザが対話的なサービスをしない場合、対応するＤＰＣＨは、パイロット及びＴＰＣビット（制御部）を伝送するであろう。ユーザが対話的なサービスを実行しない場合、チャネル資源を浪費するＨＳ−ＤＳＣＨサービスを割り当てられる前に、ＤＰＣＨ接続を確立しなければならない。
【００１８】
現行の規格において、データパケットが受信されるたびに、ＨＳ−ＳＩＣＨが、Ｈ−ＡＲＱフィードバック情報（ＡＣＫ（受信確認）／ＮＡＣＫ（否定受信確認））及びいくつかの制御情報を送信するために使用される。ＤＰＣＨ（ダウンリンクとアップリンクとを有する専用物理チャネル）も、ＨＳ−ＤＳＣＨを占有するＵＥ（ユーザ装置）に割り当てられる。このようなＵＥが対話的タイプのサービスを実行しない場合、対応するＤＰＣＨは、パイロット、ＴＰＣ（送信電力制御）ビット、及び、ことによると関連付けられたＲＲＣ（無線資源制御）信号を伝送するであろう。このようなタイプのユーザは、ＨＳＤＰＡデータ限定ユーザと呼ばれる。
【００１９】
良い伝送条件下にあるデータ限定ユーザに対して、伝送環境は安定であり、ＴＰＣ（送信電力制御）及びＣＱＩ（チャネル品質表示）を送信することにより、頻繁な伝送状態の変更を必要としない。しかしながら、ＨＳ−ＳＩＣＨにおいて、ＴＰＣ及びＣＱＩは、頻繁に送信されるべきであるＡＣＫ／ＮＡＣＫメッセージとともに送信される。（どのＡＣＫ／ＮＡＣＫも受信されたデータパケットと関連付けられる。）事実、良い通信条件の下では、正確な伝送の確率が非常に高いので、よい通信状態のＵＥに対して、ほとんどのＨ−ＡＲＱ関連信号が「ＡＣＫ」であり、「ＮＡＫ」ではない。従来技術のＨ−ＡＲＱにおける無線資源の使用率が悪いことは明らかである。
【００２０】
したがって、無線資源を節約するとともに、チャネル容量を改善するために、新たなＨ−ＡＲＱ方式が、無線資源の使用率を向上させるために提供されてもよい。
【発明の開示】
【発明が解決しようとする課題】
【００２１】
この目的のため、新たなＨ−ＡＲＱ実現機構が提案される。必要とされる場合に、ＵＥがＮＡＣＫ信号と他の制御情報とを送信し、データパケットを正確に受信する場合に、ＡＣＫ信号を送信する必要がない。
【課題を解決するための手段】
【００２２】
現行の規格では、「良い」状態（よい通信状態）のＵＥに対して、チャネルが極めて安定であるが、制御情報を頻繁に送信しなければならず、無線資源の大きな浪費となる。本発明は、以下の３つのイベントの少なくとも１つが起きた場合にのみ、ＵＥに情報（ＮＡＣＫ／ＣＱＩ／ＴＰＣ）を送信させる、新たなＨ−ＡＲＱ方式を提供する。
１）受信されたデータパケットにおいて誤りを見つける。
２）チャネル品質が非常に変化して、ＣＱＩを送信することにより、ＵＴＲＡＮ（ＵＭＴＳ無線アクセスネットワーク）に通知する必要がある。
３）ＤＬ伝送電力が、現行の伝送の要件を満たさない。
【００２３】
幸い、安定した伝送条件の下では、３つの状況のどれも頻繁には起こらず、本発明のＨ−ＡＲＱ方式では、ＵＥは、ＨＳ−ＳＩＣＨを占有する確率を非常に低減することができる。
【００２４】
本発明の第１の態様によると、通信装置におけるデータ送信の自動再送要求（ＡＲＱ）を実現する方法が提供され、該方法は、
（ａ）通信装置とネットワークデバイスとの間のチャネル品質値を監視するステップと、
（ｂ）比較結果を得るために、チャネル品質値と、所定の閾値とを比較するステップと、
（ｃ）チャネル品質値が所定の閾値よりも悪い場合に、
（ｃ１）現行の送信状態が正常であるか監視するステップと、
（ｃ２）送信状態が異常である場合に、送信状態を調整するように、ネットワークデバイスに要求メッセージを送信するステップと
を実行するステップと、
を有する。
【００２５】
本発明の第２の態様によると、ＡＲＱを実行する通信装置が提供され、該装置は、
アップリンクデータをネットワークデバイスに送信する送信手段と、
ネットワークデバイス間のチャネル品質値を監視する監視手段と、
比較結果を得るために、チャネル品質値と所定の閾値とを比較する比較手段と、
チャネル品質値が所定の閾値よりも悪くない場合、送信状態が正常かどうかを監視する監視手段を制御するとともに、送信状態が異常である場合に、ネットワーク手段に要求メッセージを送信するように、送信手段を制御する制御手段と、
を有する。
【００２６】
本発明の第３の態様によると、ネットワークデバイスにおいて、データ伝送のためのＡＲＱを実現する方法であって、
（ａ）通信装置からの状態切り換え通知メッセージを受信するステップと、
（ｂ）通信手段とネットワーック手段との間のチャネル品質値が所定の閾値よりも悪くなく、通信装置から受信される要求メッセージがある、ということを状態切り替え通知メッセージが示す場合、現行の送信状態を調整するステップと、
を有する方法が提供される。
【００２７】
本発明の第４の態様によると、ＡＲＱを実行するネットワークデバイスであって、
通信装置から状態切り換え通知メッセージを受信する受信手段と、
ダウンリンクデータを通信装置に送信する送信手段と、
通信装置とネットワークデバイスとの間のチャネル品質値が所定の閾値より悪くなく、通信デバイスから受信される要求メッセージがあることを、状態切り換え通知メッセージが示す場合、送信手段の送信状態を調整する制御手段と、
を有するネットワークデバイスが提供される。
【００２８】
従来技術と比較すると、本発明において無線チャネル品質が良い場合、ＵＥは、（不正確なデータパケットが見つけられるか、チャネル品質が非常に変化するか、又は、送信電力が不安定であるように）送信状態が異常であるときのみ、対応する要求メッセージをネットワーク手段に送信し、無線資源の使用率を非常に向上させる。
【００２９】
本発明の他の目的及び効果をより明確に、且つ、完全に理解するために、詳細な説明は、以下の添付の図面と組み合わせてなされるであろう。
【００３０】
本発明の好ましい実施例は、添付の図面を参照して記載されるであろう。
【００３１】
図面において同じ参照符号は、同じ又は類似の特徴を示す。
【発明を実施するための最良の形態】
【００３２】
以下では、本発明は、添付の図面を参照して詳細に記載されるであろう。
【００３３】
図５は、本発明の好ましい実施例によるワイヤレス通信システムにおいて、ＡＲＱを実行するユーザ装置（ＵＥ）１を示し、ＵＥ１は、受信手段１１と、送信手段１２と、監視手段１３と、比較手段１４と、制御手段１５とを有する。
【００３４】
ここで受信手段１１は、ネットワーク装置からダウンリンクデータを受信するために使用される。送信手段１２は、ネットワーク装置にアップリンクデータを送信するために使用される。監視手段１３は、（ＳＩＲ若しくはＥｂ／Ｎ０又はいくつかの他の標準を含む）現在のワイヤレスチャネル品質Ｔを監視するために使用される。上述のように、本発明の全体の遠隔通信接続手順の間、監視手段１３は、ワイヤレスチャネル品質Ｔを連続的に監視しなければならない。
【００３５】
比較手段１４は、測定されたワイヤレスチャネル品質Ｔと、所定の閾値（Ｔ０）とを比較するために使用される。測定されたワイヤレスチャネル品質Ｔが、Ｔ０よりも良いか、又はＴ０に等しい場合、ＵＥが「良い」状態にあるとみなされる。一方測定されたワイヤレスチャネル品質ＴがＴ０よりも悪い場合、ＵＥが「悪い」状態であるとみなされる。以下のように２つの種類の状態が表１に示される。
【表１】
2008547344.tif 000003
【００３６】
制御手段１５は、比較の結果、すなわちＵＥがある、「良い」又は「悪い」状態にしたがって、適合されるべきＨ−ＡＲＱモードを決定するであろう。ＵＥが「良い」状態にある場合、ＵＥが、本発明により提案されるＨ−ＡＲＱを選択するであろう。この場合において、伝送状態が異常である場合のみ、ＵＥがネットワーク手段に要求メッセージを送信する。ＵＥが「悪い」状態にある場合、ＵＥは、ネットワークデバイスと通信するために従来のＨ−ＡＲＱ方式を選択するであろう。
【００３７】
特に、測定されたワイヤレスチャネル品質Ｔが、所定の閾値Ｔ０よりも良いか、又は該閾値に等しい場合、制御手段１５は、以下の機能を実行するであろう。
‐現在の伝送状態が正常であるかどうかを監視するように、監視手段１３を制御する機能である。ここで該状態は、受信されたデータパケットの正確さ、ダウンリンク伝送電力の値、及びチャネル品質等を含んでも良い。
‐送信状態が異常である場合に、ネットワーク手段に要求メッセージを送信するように、送信手段１２を制御する機能である。要求メッセージは、不正確なデータパケットの再送信のための再送信要求メッセージと、異常なダウンリンク送信電力を調整するための送信電力制御メッセージと、チャネル品質を反映するためのチャネル品質表示メッセージとを含んでも良い。
【００３８】
測定されたワイヤレスチャネル品質Ｔが所定の閾値Ｔ０よりも悪い場合、制御手段１５は、ネットワークデバイスと通信するために、３つの現行のタイプのＨ−ＡＲＱ方法の１つを使用するように、ＵＥを制御するために使用される。
【００３９】
上述のように、ＵＥが採用するであろうＨ−ＡＲＱ方式をネットワークデバイスに知らせるために、ＵＥは、比較手段１３からの比較結果をネットワークデバイスに知らせる必要があるか、又は、結果が変更する（すなわちワイヤレスチャネル品質状態が所定の閾値の辺りを上下に変化する）場合のみ、ネットワークデバイスに状態切り換え要求メッセージを送信しても良い。
【００４０】
モバイル通信システムが高速ダウンリンクパケットアクセス（ＨＳＰＤＡ）ベースのＣＤＭＡシステムでもよく、好ましくは、ＵＭＴＳ無線アクセスネットワーク（ＵＴＲＡＮ）であり得、ネットワークデバイスは、ワイヤレス資源制御器であり得る。
【００４１】
１つの好ましい実施例において、制御手段１５は、以下の機能を実行することにより、要求メッセージ又は通知メッセージをネットワークデバイスに送信するように、他の手段を制御する。
‐高速共有情報チャネル（ＨＳ−ＳＩＣＨ）を分散させるように要求するため、物理アップリンク共有チャネル（ＰＵＳＣＨ）を通じて、ネットワークデバイスにチャネル分散要求メッセージを送信するように、送信手段１２を制御する機能である。
‐高速共有制御チャネル（ＨＳ−ＳＣＣＨ）におけるネットワーク装置からチャネル分散メッセージを受信するように、受信手段１１を制御する機能である。該メッセージは、ＨＳ−ＳＩＣＨを分散させるために使用される。
【００４２】
図６は、本発明の好ましい実施例にしたがって、モバイル通信システムのＵＥにおいてＡＲＱを実行する方法を示す。
【００４３】
特に、ステップＳ１０１において、ネットワークデバイスからデータパケットを受信する。
【００４４】
それから、ステップＳ１０２において、現在のワイヤレスチャネル品質Ｔを監視する。本発明の遠隔通信接続手順全体の間、監視手段は、ワイヤレスチャネル品質を連続的に監視しなければならない。
【００４５】
ステップＳ１０３において、測定されたワイヤレスチャネル品質と、所定の閾値とを比較する。測定されたワイヤレスチャネル品質Ｔが、Ｔ０よりも良いか、又はＴ０に等しい場合、ＵＥが「良い」状態にあるとみなされ、ステップＳ１０４に続く。測定されたワイヤレスチャネル品質が、Ｔ０よりも悪い場合、ＵＥが「悪い」状態にあるとみなされ、ステップＳ１０６に続く。２つの状態は、上の表１に示される。
【００４６】
ステップＳ１０４において、伝送状態が正常であるかどうかを監視する。伝送状態は、受信されたデータパケットの正確さ、ダウンリンク伝送電力の値、及びチャネル品質等を含む。
【００４７】
ステップＳ１０５において、伝送状態が異常である場合のみ、ネットワークデバイスに要求メッセージを送信する。要求メッセージは、不正確なデータパケットの再送を要求する再送信要求メッセージと、異常なダウンリンク伝送電力を調整することを要求する伝送電力制御メッセージと、チャネル品質を反映させるためのチャネル品質表示メッセージとを含む。
【００４８】
ステップＳ１０６において、ネットワーク手段と通信するために、３つの従来のＨ−ＡＲＱ方法の１つを使用する。
【００４９】
更に、ＵＥが採用するであろうＨ−ＡＲＱ方式をネットワークデバイスに知らせるために、前記方法は、
比較の結果が変更する（すなわちワイヤレスチャネル品質状態が所定の閾値の辺りを上下に変化している）場合のみ、Ｓ１０３で得られた比較の結果をネットワーク手段に知らせるか、又はネットワークデバイスに状態切り替え要求メッセージを送信しても良いステップを有する。
【００５０】
モバイル通信システムは、ＨＳＤＰＡベースのＣＤＭＡシステムでもよく、好ましくはＵＭＴＳ無線アクセスネットワーク（ＵＴＲＡＮ）であり得、ネットワークデバイスは、ワイヤレス資源制御器であり得る。
【００５１】
好ましい実施例において、要求メッセージ又は通知メッセージは、
‐ＨＳ−ＳＩＣＨを分散させるように要求するために、ＰＵＳＣＨを通じてネットワークデバイスにチャネル分散要求メッセージを送信するステップと、
‐ＨＳ−ＳＣＣＨを分散させるために、ＨＳ−ＳＣＣＨ上のネットワークデバイスからチャネル分散メッセージを受信するステップと
によりネットワークデバイスに送信され得る。
【００５２】
図７は、モバイル通信システムにおけるデータ送信においてＡＲＱを実行するネットワーク手段２を示し、該手段は、受信手段２２と、送信手段２３と、制御手段２１とを有する。
【００５３】
受信手段２２は、ＵＥ１から状態切り替え通知メッセージを受信するために使用される。状態切り換え通知メッセージは、ＵＥの状態の変化（すなわちワイヤレスチャネル品質状態が所定の閾値の辺りを上下に変化していること）を示すために使用される。
【００５４】
送信手段２３は、ダウンリンクデータをＵＥに送信するために使用される。
【００５５】
制御手段２１は、現在のワイヤレスチャネル品質が所定の閾値よりも良いことを、状態切り換え通知メッセージが示す場合、ＵＥから要求メッセージを受信するときのみ対応する動作を実行する。
【００５６】
要求メッセージは、不正確なデータパケットの再送信を要求する再送信要求メッセージと、異常なダウンリンク伝送電力を調整することを要求する伝送電力制御メッセージと、チャネル品質を反映させるチャネル品質表示メッセージとを含む。
【００５７】
対応する動作は、再送信要求メッセージを受信した後、データパケットを再送信するステップと、送信電力制御メッセージを受信した後、ダウンリンク送信電力を調整するステップと、チャネル品質表示メッセージにしたがって、適切な変調符号化方法を選択するステップとを有する。
【００５８】
制御手段２１は、ワイヤレスチャネル品質が所定の閾値よりも悪いと状態切り換え通知メッセージが示す場合、ＵＥと通信するために、３つの現行の種類のＨ−ＡＲＱ方法の１つを選択するようにも使用される。
【００５９】
好ましくは制御手段２１は、ＨＳ−ＳＩＣＨにおけるＵＥから要求メッセージ又は通知メッセージを受信するために、受信手段を制御するようにも使用される。
【００６０】
より好ましくは、制御手段２１は、
‐ＵＥからＰＵＳＣＨを通じて、ＨＳ‐ＳＩＣＨを分散させるために、チャネル分散要求メッセージを受信するように、受信手段２２を制御するステップと、
‐ＨＳ‐ＳＣＣＨを通じてＵＥにＨＳ‐ＳＩＣＨを分散させるために、チャネル分散メッセージを送信するように、送信手段２３を制御するステップと、
を更に実行する。
【００６１】
モバイル通信システムは、ＨＳＤＰＡベースのＣＤＭＡシステムであり得、好ましくはＵＴＲＡＮであり得、ネットワークデバイスは、ワイヤレス資源制御器であり得る。
【００６２】
図８は、本発明の好ましい実施例にしたがって、ワイヤレス通信システムのネットワークデバイスにおけるデータ送信ＡＲＱを実行する方法を示す。
【００６３】
図に示されるように、ステップＳ２０１において、ＵＥから状態切り替え通知メッセージを受信する。該状態切り替え通知メッセージは、ＵＥの状態の変化（すなわち、ワイヤレスチャネル品質状態が所定の閾値の辺りを上下に変化すること）を示すために使用される。
【００６４】
ＵＥが「良い」状態にある、すなわちワイヤレスチャネル品質が所定の閾値よりも良いか、又は所定の閾値と等しいことを、状態切り換え通知メッセージが示す場合、ステップＳ２０３に進み、現在のワイヤレスチャネル品質が所定の閾値よりも悪いことを、状態切り換え通知メッセージが示す場合、ステップＳ２０４に進む。
【００６５】
ステップＳ２０３において、ＵＥ１から要求メッセージを受信する場合のみ、対応する動作を実行する。
【００６６】
要求メッセージは、不正確なデータパケットの再送信を要求する再送信要求メッセージと、異常なダウンリンク送信電力を調整することを要求する、送信電力制御メッセージと、チャネル品質を表示するチャネル品質表示メッセージとを含む。
【００６７】
対応する動作は、再送信要求メッセージを受信した後、データパケットを再送信するステップと、送信電力制御メッセージを受信した後、ダウンリンク送信電力を調整するステップと、チャネル品質表示メッセージに従って、適切な変調符号化方法を選択するステップとを含む。
【００６８】
ステップＳ２０４において、ＵＥ１と通信するために、３つの現行の種類のＨ−ＡＲＱ方法の１つを採用する。
【００６９】
モバイル通信システムは、ＨＳＤＰＡベースのＣＤＭＡシステムであってもよく、好ましくはＵＭＴＳ無線アクセスネットワーク（ＵＴＲＡＮ）であり得、ネットワークデバイスは、ワイヤレス資源制御器である。
【００７０】
好ましい実施例において、受信要求又は通知要求は、
‐ＨＳ−ＳＩＣＨ上でＵＥから要求又は通知メッセージを受信するステップ
により実現される。より好ましくは、受信要求メッセージ又は通知メッセージは、
‐ＨＳ−ＳＩＣＨを分散させるチャネル分散要求メッセージを、ＰＵＳＣＨ上でＵＥから受信するステップと、
‐ＨＳ−ＳＩＣＨを分散させるチャネル分散メッセージを、ＨＳ−ＳＩＣＨを通じてＵＥに送信するステップと、
を更に有する。
【００７１】
図９及び図１０は、好ましい実施例において状態切り替えを実現するように、ワイヤレスチャネル品質状態の変化について、ＵＥがネットワークデバイス（ＵＴＲＡＮ）に通知するプロセスを示す。ここで、状態切り換えのプロセスは、特に図８及び図９を参照して記載されるであろう。
【００７２】
「良い」から「悪い」へ
ＵＥは、ＢＣＨ、ＰＣＨ、ＤＳＣＨデータ及びミッドアンブル（midamble）情報を受信するとともに処理することにより、ワイヤレスチャネル品質（すなわち送信環境）を常に監視している。図９に示されるように、ワイヤレスチャネル品質が所定の閾値よりも悪いことを、ＵＥが確認する場合、ＨＳ−ＳＩＣＨを分散させる要求を、ＰＵＳＣＨを通じてＵＴＲＡＮに送信すべきであり、ＵＥがＨＳ−ＳＣＣＨを監視する。ＵＴＲＡＮは、ＨＳ−ＳＣＣＨ上に制御情報を送信することにより、ＵＥにＨＳ−ＳＩＣＨを分散させるであろう。
【００７３】
「悪い」から「良い」へ
図１０に示されるように、測定されたワイヤレスチャネル品質が所定の閾値よりも良くなっていることをＵＥが見つける場合、この状態を変化させるとともに、ＨＳ−ＳＩＣＨ資源を解放するため、この結果をＵＴＲＡＮに通知するであろう。まず、ＵＥは、状態切り替えのために、ＨＳ−ＳＩＣＨ上のＵＴＲＡＮに状態切り換え要求メッセージを送信し、それから、ＵＴＲＡＮは、確認メッセージと、ＨＳ−ＳＩＣＨ解放メッセージとをＨＳ−ＳＣＣＨ上のＵＥに送信する。ＵＥが確認メッセージとＨＳ−ＳＩＣＨ解放メッセージとを受信する場合、ＵＥは、状態切り替え完了確認メッセージを、ＰＵＳＣＨを介してＵＴＲＡＮに送信するとともに、「良い」状態になるに違いない。
【００７４】
「良い」状態のＵＥのＨＳ−ＳＩＣＨ分散方式に関して
頻繁にではないが、アップリンクメッセージ（ＮＡＣＫ、ＣＱＩ、ＴＰＣ）が時々送信されるべきである。よい送信状態のこれらのＵＥに対して、２つの方式がＨＳ−ＳＩＣＨを分散させるために適用され得る。
【００７５】
ｉ．送信前のＨＳ−ＳＩＣＨに対する要求
上記の３つの状況の１つ又はそれより多くが生じ、ＵＥがＮＡＫ／ＣＱＩ／ＴＰＣメッセージを送信する必要がある場合、ＰＵＳＣＨを通じてＨＳ−ＳＩＣＨを分散させることを要求するであろう。ＵＥは、ＵＴＲＡＮがＨＳ−ＳＩＣＨ資源をＵＥのために分散した後、アップリンク情報を送信することができる。ＵＥがメールの送信を完了したとき、ＵＴＲＡＮに通知するとともに、ＰＵＳＣＨを通じてＨＳ−ＳＩＣＨ資源を解放するべきである。この方法は、最小チャネル資源しか占有しないが、メッセージを送信するときに長い接続時間を必要とし、受信機がバッファ長を増加しなければならなくする。
【００７６】
ｉｉ．共有ＨＳ−ＳＩＣＨ方式
この共有ＨＳ−ＳＩＣＨ方式において、従来のＨ−ＡＲＱ方式と比較して、ＵＥの共有が増えると、ＨＳ−ＳＩＣＨが減少する。ＵＥがメッセージを送信したい場合、ＵＥは、競合することによりＨＳ−ＳＩＣＨを占有する。良好な送信状態にあるＵＥは、ほとんどアップリンク信号を送信する必要がないので、衝突は、ほとんど起こらないであろう。この方式は、従来の方式よりも分散していないＨＳ−ＳＩＣＨに合わせて、ＵＥにアップリンクメッセージを送信させ得る。
【００７７】
ＴＰＣ（送信電力制御）又はＣＱＩ（チャネル品質表示）信号が送信される必要のないとみなされる、ＮＡＣＫのみの確認方式が、図１１に示される。不正確なデータパケットが見つけられると、ＵＥは、（データパケットシリアル番号と組み合わせて）ＮＡＣＫのみをＵＴＲＡＮに送信し、ＵＴＲＡＮは、対応するデータパケットを再送信するであろう。ＮＡＣＫのみの方式を用いると、これらのＵＥは、あまりＨＳ−ＳＩＣＨを共有することができない。
【００７８】
上述のように、従来技術では、ＵＥは、データパケットを正確に受信するたびごとにＡＣＫを送信し、不正確にデータパケットを受信するたびごとにＮＡＣＫを送信しなくてはならない。しかしながら、本発明の技術的な方式を用いると、ＵＥは、不正確なデータパケットを受信される場合のみ、ＮＡＣＫ信号を送信する必要があり、その結果、少ないＨＳ−ＳＩＣＨ資源しか占有されないであろう。
【００７９】
図１２は、本発明の好ましい実施例によるＨ−ＡＲＱ方式を用いる、ＵＥとＵＴＲＡＮとの間の通信プロセスを示す。
【００８０】
図１２に示されるように、まずＵＥは、測定されたワイヤレスチャネル品質と、目標閾値とを比較する（ステップＳ３０１）。測定された値が、閾値よりも良い場合、ＵＥはＵＴＲＡＮにＲＲＣ接続要求を送信し、「良い」状態に入り（ステップＳ３０２）、それからＵＴＲＡＮが、達成されたＲＲＣ接続を識別するメッセージをＵＥに送信する（ステップＳ３０３）。ＵＥは、それから、本発明により提案されるＨ−ＡＲＱ方式を使用して、ＵＴＲＡＮとＨＳＤＰＡ通信を実行する（ステップＳ３０４）。測定された値が閾値よりも悪い場合、ＵＥは「悪い」状態に入り、現行のＨ−ＡＲＱ方式を実行する（ステップＳ３０５）。ＵＥは、チャネル品質の監視を続ける（ステップＳ３０６）。測定された値が、前記閾値よりも良いことを見つけた場合、ＵＥは「悪い」から「良い」に切り替わり、本発明により提案されるＨ−ＡＲＱ方式を実行し、再びステップＳ３０４に進むであろう。
【００８１】
本発明が詳細に説明されるが、請求項に記載される本発明の趣旨及び範囲から逸脱することなく、様々な変形、置き換え、代替が、ここになされ得ることは、理解されるべきである。
【図面の簡単な説明】
【００８２】
【図１】図１は、従来技術におけるＡＲＱの通信プロセスを示す。
【図２】図２は、従来技術におけるＨ−ＡＲＱ−ＩＩのメッセージ符号の一例を示す。
【図３】図３は、ＳＡＷ方式を使用するＨ−ＡＲＱプロセスを示す。
【図４】図４は、ＳＲ方式を使用するＨ−ＡＲＱ確認プロセスを示す。
【図５】図５は、本発明の好ましい実施例による、ワイヤレス通信システムにおいて、ＡＲＱを実行するＵＥを示す。
【図６】図６は、本発明の好ましい実施例による、ワイヤレス通信システムにおける、ＵＥにおいてＡＲＱを実行する方法のフローチャートを示す。
【図７】図７は、ワイヤレス通信システムにおけるデータ送信ＡＲＱを実行するネットワーク手段を示す。
【図８】図８は、本発明の好ましい実施例によるワイヤレス通信システムにおけるネットワーク手段において、データ送信ＡＲＱを実行する方法のフローチャートを示す。
【図９】図９は、好ましい実施例において、状態切り替えを実現するために、ワイヤレスチャネル品質状態の変化について、ネットワーク手段（ＵＴＲＡＮ）に通知するユーザ装置のプロセスを示す。
【図１０】図１０は、好ましい実施例において、状態切り替えを実現するために、ワイヤレスチャネル品質状態の変化について、ネットワーク手段（ＵＴＲＡＮ）に通知するユーザ装置のプロセスを示す。
【図１１】図１１は、本発明の好ましい実施例によるＮＡＫのみの確認機構を示す。
【図１２】図１２は、本発明の好ましい実施例によるＨ−ＡＲＱ方式のＵＴＲＡＮとＵＥとの間の通信プロセスを示す。
【図１】
2008547344.tif 000004
【図２】
2008547344.tif 000005
【図３】
2008547344.tif 000006
【図４】
2008547344.tif 000007
【図５】
2008547344.tif 000008
【図６】
2008547344.tif 000009
【図７】
2008547344.tif 000010
【図８】
2008547344.tif 000011
【図９】
2008547344.tif 000012
【図１０】
2008547344.tif 000013
【図１１】
2008547344.tif 000014
【図１２】
2008547344.tif 000015
【国際調査報告】
2008547344.tif 000016
2008547344.tif 000017
2008547344.tif 000018